(57)【要約】【課題】誤送信防止機能を備えた通信装置の提供【解決手段】本発明は、送信前に宛先情報の確認画面が表示可能な通信装置を前提とする。そして本発明の通信装置は、時間計測手段と画面表示制御手段を備える。時間計測手段は、確認画面の表示中に、当該確認画面に対してユーザによる何れの操作もされない所定時間をカウントする手段である。画面表示制御手段は、時間計測手段が所定時間をカウント中にユーザによりキャンセルキーが押された場合、確認画面の表示を編集画面の表示に戻す。一方、画面表示制御手段は、時間計測手段が所定時間をカウント後に、ユーザによりキャンセルキーが押された場合、確認画面の表示を終了する。【選択図】図３
2010087684.tif 000002
【特許請求の範囲】
【請求項１】
送信前に宛先情報の確認画面が表示可能な通信装置において、
前記確認画面を表示中に、当該確認画面に対してユーザによる何れの操作もされない所定時間をカウントする時間計測手段と、
前記時間計測手段が前記所定時間をカウント中にユーザによりキャンセルキーが押された場合、当該確認画面の表示を編集画面の表示に戻し、一方、前記時間計測手段が前記所定時間をカウント後に、キャンセルキーが押された場合、当該確認画面の表示を終了する、画面表示制御手段を備えたことを特徴とする通信装置。
【請求項２】
前記所定時間が、宛先情報の宛先件数に応じて調整可能な請求項１に記載の通信装置。
【請求項３】
前記通信装置が、ファクシミリ装置である請求項１又は２に記載の通信装置。
【発明の詳細な説明】
【技術分野】
【０００１】
本発明は、通信装置に関し、特に誤送信防止に最適な通信装置である。
【背景技術】
【０００２】
ファクシミリ装置に代表される通信を行う場合、誤送信が問題となる。例えば銀行等の金融機関のように機密情報を大量に取り扱う場合、誤送信を防止することは重要な問題である。このために、送信前に、宛先情報の確認画面を表示させて、ユーザに宛先等を確認させる技術が知られている。特許文献1に開示の技術は、誤送信防止モードが設定されていると、宛先情報を入力後、宛先の名称や電話番号が表示されたタッチパネルの表示部分（確認画面）をタッチすることで、送信許可の状態になる技術である。
【０００３】
特許文献２に開示の技術は、送信を途中でキャンセルするためのガイダンスメッセージが表示され、送信がキャンセルされると、表示用の誤送信メッセージを誤送信の宛先に送信するというものである。
【特許文献１】特開２０００-１１５４３４号公報
【特許文献２】特開２００３-２２３３９９号公報
【発明の開示】
【発明が解決しようとする課題】
【０００４】
特許文献1の技術は、ユーザが送信キーを押した後、確認画面で宛先情報の確認入力をする必要がある。このとき、ユーザが送信キーを押すことで送信が完了したと勘違いして、通信装置から離れてしまい、確認画面での確認入力がされずに、確認画面が表示されたままの状態になることが多い。
【０００５】
特許文献２の技術は、電子メールに関する技術であり、確認画面は送信が開始されてから所定時間表示されるだけなので、ユーザが送信キーを押した後、すぐに通信装置から離れても、確認画面が表示されたままの事態は避けることができる。しかし、送信が開始されてから確認画面が表示されるのでは、誤送信防止にはならない。確認画面で確認してその後送信される態様の通信装置でないと、機密情報を大量に扱う必要がある金融機関等では使用できない。
【０００６】
通信装置の確認画面が表示されたままの状態では通信装置は使用できないので、新たな通信を行いたいとするユーザには、確認画面を終了させたいとする要請がある。一方、確認画面で確認した結果、宛先情報が誤っていることを見つけたユーザにとっては、正しい宛先情報を入力し直したいであろうから、入力した宛先情報を編集したいという要請もある。このように、確認画面を終了させる要請とは別に、入力した宛先情報を編集したいという要請にも応えるために、従来技術の誤送信防止のための確認画面には、確認画面を終了させるためのキーと、編集画面に戻るためのキーの２つのキーが備えられている。
【０００７】
上記の２つの要請を望むユーザは、別人である蓋然性が高い。すなわち、確認画面の表示中に当該確認画面に対して、ユーザによって何らの操作もされずにある程度時間が経過しているとすると、入力操作をしたユーザは既に通信装置から離れており、新たなユーザが、通信装置を使用するために当該確認画面を終了させたいという要請が圧倒的に多くなる。一方、ユーザによる入力操作後、確認画面の表示開始からそれほど経過していない場合なら、確認画面の表示を見た結果、宛先情報を編集したいとするのは、当該入力操作を行ったユーザであることが多い。
【０００８】
この場合でも、従来技術による確認画面には、確認画面を終了させるためのキーと、編集画面に戻るためのキーとの２つは、並んで配置されているので、ユーザがキーを押し間違えるという問題があった。
【課題を解決するための手段】
【０００９】
本発明は、上記の課題を解決するために以下の技術的手段を採用している。まず、本発明は、送信前に宛先情報の確認画面が表示可能な通信装置を前提とする。そして本発明の通信装置は、時間計測手段と画面表示制御手段を備える。時間計測手段は、確認画面の表示中に、当該確認画面に対してユーザによる何れの操作もされない所定時間をカウントする手段である。画面表示制御手段は、時間計測手段が所定時間をカウント中にユーザによりキャンセルキーが押された場合、確認画面の表示を編集画面の表示に戻す。一方、画面表示制御手段は、時間計測手段が所定時間をカウント後に、ユーザによりキャンセルキーが押された場合、確認画面の表示を終了する。
【００１０】
確認画面の表示中の所定時間内であれば、宛先情報の入力操作をしたユーザが確認画面で宛先情報を確認した結果、入力した宛先情報の誤りを見つけ、当該ユーザがキャンセルキーを押した蓋然性が高い。この場合入力操作をしたユーザとしては、宛先情報を編集したいと考える。上記の構成であれば、確認画面の表示中の所定時間中にキャンセルキーが押された場合には、確認画面の表示を編集画面の表示に戻すので、入力操作を行ったユーザの要請を満たすことができる。
【００１１】
一方、確認画面の表示中に何らの操作もされないまま所定時間が経過した場合は、入力操作をしたユーザは、通信装置から離れており、その後、次のユーザが通信装置を使用するために、キャンセルキーを押した蓋然性が高い。この場合次のユーザとしては、確認画面を早く終了させたいと考える。上記の構成であれば、確認画面の表示がされた状態で何の操作もされないまま所定時間が経過し、その後にキャンセルキーが押された場合には、確認画面の表示を終了するので、当該ユーザの要請も満たすことができる。
【００１２】
このように、上記の構成では、一つのキャンセルキーを確認画面等に表示させておくだけで、入力操作をしたユーザ及びその後のユーザの両者の要請を満たすことができる。
【００１３】
上記の構成において、所定時間が、宛先情報の宛先件数に応じて調整可能であれば、宛先情報を確認するのに、十分な時間を確保することができる。
【００１４】
さらに、宛先情報の確認をせずに通信装置から離れるのは、ファクシミリ装置で特に頻繁に起こる問題なので、通信装置が、ファクシミリ装置であることが望ましい。
【発明の効果】
【００１５】
本発明によれば、キー（ボタン）の役割を所定時間の経過の前後で変更可能な一つのキャンセルキーを宛先情報の確認画面に表示させることで、宛先情報を入力したユーザ及び次のユーザの両者の要請を満たすことが可能である。
【発明を実施するための最良の形態】
【００１６】
＜通信装置＞
本発明の通信装置１００のファクシミリ通信機能を説明する。
【００１７】
図１に示すように、通信装置１００は、本体１０１と、本体１０１の上方に取り付けられたプランカバー１０２を備える。本体１０１の上面は原稿台１０３が設けられていて、原稿台１００は、プラテンカバー１０２によって開閉されるようになっている。プラテンカバー１０２は、自動原稿給紙装置１０４と載置台１０５と排紙台１０９が設けられている。
【００１８】
自動原稿給紙装置１０４は、プラテンカバー１０２の内部に形成された原稿搬送路１０８と、プラテンカバー１０２の内部に備えられたピックアップローラ１０６や搬送ローラ１０７等で構成されている。原稿搬送路１０８は、載置台１０５から、本体１０１に設けた読取部１１０にて読み取りが行なわれる読取位置Ｐを経由して、排紙台１０９に通じる原稿の搬送路である。
【００１９】
自動原稿給紙装置１０４は、載置台１０５に載置された原稿１枚ずつをピックアップローラ１０６で搬送路内１０８に引き込み、引き込んだ原稿を読取位置Ｐを通過させて排紙台１０９に排紙する。読取位置Ｐを通過する時に原稿は読取部１１０にて読み取られる。
【００２０】
読取部１１０は、原稿台１０３の下方に設けられている。読取部１１０は、原稿台１０３を照射する主走査方向に長い光源１１１と、原稿台１０３からの光を導くミラー１１２、１１３、１１４と、ミラー１１２、１１３、１１４で導かれた光を撮像する撮像素子１１５とで構成されている。
【００２１】
自動原稿給紙装置１０４が原稿を搬送する時は、光源１１１は、読取位置Ｐを照射できる位置に移動して発光する。光源１１１からの光は、原稿台１０３を透過して読取位置Ｐを通過する原稿にて反射し、ミラー１１２、１１３、１１４によって撮像素子１１５に導かれる。撮像素子１１５は受光した光を撮像することで原稿の画像データを生成する。
【００２２】
通信装置１００は、ファクシミリ回線１５０，１５１を介して、送信手段１１６によって原稿の画像データを送信する。
【００２３】
以上が、通信装置１００における基本的なファクシミリ処理である。
【００２４】
図５は、通信装置１００に備えられた操作部５００の外観の一例を示す図である。ユーザは、上記操作部５００を用いて、上述のような機能提供についての設定条件等を入力したり、書き込み情報を書き込んだり、所定の宛先へ書き込み情報を送信したりする。設定条件の入力、各サービスの実行開始等が行なわれる際に、上記操作部５００に備えられたタッチパネル５０１、各種操作キーが用いられる。
【００２５】
次に、図２を用いて、本発明の通信装置１００の制御系ハードウェアの構成を説明する。図２は、当該通信装置１００における制御系ハードウェアの概略構成図である。ただし、本発明に直接には関係しない各部の詳細は省略している。
【００２６】
通信装置１００の制御回路は、ＣＰＵ（Ｃｅｎｔｒａｌ  Ｐｒｏｃｅｓｓｉｎｇ  Ｕｎｉｔ）２０１、ＲＯＭ（Ｒｅａｄ  Ｏｎｌｙ  Ｍｅｍｏｒｙ）２０２、ＲＡＭ（Ｒａｎｄｏｍ  Ａｃｃｅｓｓ  Ｍｅｍｏｒｙ）２０３、ＨＤＤ（Ｈａｒｄ  Ｄｉｓｋ  Ｄｒｉｖｅ）２０４、各駆動部に対応するドライバ２０５を内部バス２０６によって接続している。上記ＣＰＵ２０１は、例えば、ＲＡＭ２０３を作業領域として利用し、上記ＲＯＭ２０２、ＨＤＤ２０４等に記憶されているプログラムを実行し、当該実行結果に基づいて上記ドライバ２０５と操作部２００からのデータ、指示を授受し、上記図１に示した各駆動部等の動作を制御する。
【００２７】
〈確認画面の制御〉
次に本発明に係る実施の形態の確認画面の制御動作について、前記図１、及び図３から図６を参照して説明する。図３は、本発明の通信装置１００の機能ブロック図、図４は、本発明の通信装置１００の宛先情報確認の処理を示すフローチャートである。図５は、本発明の通信装置１００の操作部５００を示す図であり、図６は図５の操作部５００のうち、タッチパネル５０１を示した図である。
【００２８】
まず、ユーザが原稿を図１の載置台１０５に載置し、原稿の宛先情報（送信先Ａ社、Ｆａｘ番号１１１１１１１等）を操作部５００に数字キー５１０等で入力すると、宛先情報受付手段３１１が当該宛先情報を受け付ける（図４：Ｓ１０１）。本発明の宛先情報とは、原稿を送信する先の電話番号等の相手先情報を示す。
【００２９】
ユーザが操作部５００のスタートキー５１１を押下すると、宛先情報受付手段３１１が、ファクシミリによる原稿画像の読取を受付け、原稿読取手段３１２に原稿画像を読み取らせる指示を送る。当該指示を受け取った原稿読取手段３１２は、原稿画像を読み取る（図４：Ｓ１０２）。読み取った原稿画像データは、送信情報記憶手段３１５に記憶される。
【００３０】
次に原稿読取手段３１２が原稿読取を完了した旨の通知を宛先情報受付手段３１１に送る。原稿読取手段３１２から当該通知を受け取った宛先情報受付手段３１１は、画面表示制御手段３１３に宛先確認を行う指示を送る。当該指示を受け取った画面表示制御手段３１３は、例えば、図６（Ｂ）の「宛先情報を確認してください」５２０の表示を含む確認画面５２５を操作部５００のタッチパネル５０１に表示させる（図４：Ｓ１０３）。
【００３１】
操作部５００のタッチパネル５０１が表示する確認画面５２５とは、操作部５００のタッチパネル５０１に表示される画面のうち、確認される宛先情報と、上記表示５２０およびそれらの関連表示のことを示す。確認画面５２５は、ユーザに対して、宛先情報を確認させて、ユーザからの確認指示を受け付けるための表示であり、ユーザによる宛先情報入力操作の後表示される。
【００３２】
画面表示制御手段３１３は、タッチパネル５０１に上記の宛先情報の確認画面５２５を表示させると同時に時間計測手段３１４に何れの操作もされない予め定められた所定時間をカウントする指示を送る。当該指示を受け取った時間計測手段３１４は、カウントを開始する（Ｓ１０４）。タッチパネル５０１の宛先情報の確認画面５２５の表示命令と前記時間計測手段３１４への所定時間のカウントの開始命令は、画面表示制御手段３１３から同時に指示されるので、タッチパネル５０１に宛先情報の確認画面５２５の表示がされるのと略同時に、時間計測手段３１４でのカウントが開始される。
【００３３】
この予め定められた所定時間は、宛先情報を確認するための時間であるので、ユーザによって設定可能である。さらに、所定時間は、宛先情報の件数に応じて調整可能である。例えば、１件の宛先を確認するのに、３０秒程度必要であるとすると、本実施の形態では、３件の宛先があるので、合計９０秒を所定時間としてカウントする。なお、宛先件数の情報は、画面表示制御手段３１３から時間計測手段３１４に送信される。
【００３４】
前記何れの操作もされない状態とは、タッチパネル５０１を含めた操作部５００を使って送信指示、画面を戻す等の確認画面５２５に対するユーザによる操作が何れもされないことを示す。
【００３５】
時間計測手段３１４の上記カウント中にユーザが、タッチパネル５０１を含めた操作部５００を使って何れかの操作がなされた場合には、画面表示制御手段３１３が当該操作を受け付ける。その後画面表示制御手段３１３は、当該操作が行われた旨を時間計測手段３１４に通知する。当該通知を受け取った時間計測手段３１４は、上記カウントを中止し、再度始めからカウントを開始する。画面表示制御手段３１３から操作が行われた旨の最後の通知からカウントし、前記所定時間のカウントがなされた場合に、時間計測手段３１４は、カウントが終了した旨の通知を画面表示制御手段３１３に送る。
【００３６】
上記のカウントが終了した旨の通知を画面表示制御手段３１３が受け取ったか、否かによって、宛先情報の確認画面５２５中のキャンセルキー５２６の役割が異なる。すなわち、ユーザがタッチパネル５０１で宛先情報の確認画面５２５のキャンセルキー５２６を押下すると、画面表示制御手段３１３がキャンセル指示を受け付ける。このとき、画面表示制御手段３１３は、時間計測手段３１４から、何れの操作もされない所定の時間が経過した旨の通知を受けているか確認する。時間計測手段３１４から当該カウントが終了した旨の通知を既に受けている場合、画面表示制御手段３１３は、宛先情報の確認画面５２５を終了させる（Ｓ１０５ＹＥＳ→Ｓ１０６ＹＥＳ→Ｓ１０７）。このとき画面表示制御手段３１３は、表示画面を図６（Ｂ）の表示から図６（Ａ）の初期画面に戻す。
【００３７】
このように、何れの操作もされない状態が所定の時間経過した場合に、キャンセルキー５２６を押下したのは宛先情報の確認画面５２５を終了させて、新たなファクシミリ通信を行いたいユーザなので、当該ユーザは、すぐにファクシミリ等を開始することができる。
【００３８】
一方、ユーザが宛先情報の確認画面５２５のキャンセルキー５２６を押し、当該キャンセル指示が画面表示制御手段３１３に受け付けられた場合において、画面表示制御手段３１３が時間計測手段３１４から上記カウントが終了した旨の通知を受けていない場合、画面表示制御手段３１３は、宛先情報の確認画面５２５の表示を編集画面５３５の表示に変更する（Ｓ１０５ＹＥＳ→Ｓ１０６ＮＯ→Ｓ１０８）。
【００３９】
上記編集画面５３５とは、例えば図６（Ｃ）の「宛先情報を編集してください。」５３０の表示を含む画面である。ユーザは編集画面５３５で宛先情報の変更、削除等の編集作業が可能である。
【００４０】
このように、タッチパネルに対して何らかの操作が行われ、その操作から所定の時間が経過していない場合に、宛先情報の確認画面５２５のキャンセルキー５２６を押下したユーザは、入力操作後、宛先情報の確認画面５２５で宛先情報を確認し宛先情報を編集したいユーザなので、当該ユーザが、上記編集画面５３５で、宛先情報を変更、削除できる。ユーザが、編集画面５３５で、宛先情報を編集し、再度送信のために、操作部５００のスタートキー５１１を押下げると、画面表示制御手段３１３が当該入力を受付け、宛先情報の確認画面５２５を表示する（Ｓ１０８→Ｓ１０３）。
【００４１】
宛先情報の確認画面５２５の表示中に、ユーザが、キャンセルキー５２６ではなく、送信確認キー５２７を押下げた場合、画面表示制御手段３１３が送信確認指示を受け付ける。その後、画面表示制御手段３１３は、原稿を送信する旨を送信手段３１６に通知する。送信手段３１６は、送信情報記憶手段３１５に記憶されている原稿画像データを通信回線１５１を介して宛先情報の宛先に送信する（Ｓ１０５ＮＯ→Ｓ１０９ＹＥＳ→Ｓ１１０）。
【産業上の利用可能性】
【００４２】
本発明は、誤送信を防止するための確認画面を表示中に、所定時間の何らの操作もされない時間をカウントすることにより、キャンセルキーの機能を所定時間経過前と経過後で切り替えることでキャンセルキーを押下げたユーザが必要とする画面を一つのキーで切り替えることが可能となる。したがって、その産業上の利用可能性は大きい。
【図面の簡単な説明】
【００４３】
【図１】本発明の実施形態に係る通信装置の全体構成を示す図である。
【図２】本発明の実施形態に係る通信装置の制御系ハードウェアの構成を示す図である。
【図３】本発明の実施形態に係る通信装置の機能ブロック図である。
【図４】本発明の実施形態に係る通信装置の誤送信防止方法のフローチャートである。
【図５】本発明の実施形態に係る通信装置の操作部を示す図である。
【図６】本発明の実施形態に係る通信装置の操作部のタッチパネルを示す図である。
【符号の説明】
【００４４】
１００  通信装置
３１１  宛先情報受付手段
３１２  原稿読取手段
３１３  画面表示制御手段
３１４  時間計測手段
３１５  送信情報記憶手段
３１６  送信手段
１５０、１５１  ファクシミリ回線
【図１】
2010087684.tif 000003
【図２】
2010087684.tif 000004
【図３】
2010087684.tif 000005
【図４】
2010087684.tif 000006
【図５】
2010087684.tif 000007
【図６】
2010087684.tif 000008